(57)【要約】      （修正有）【課題】被覆材の垂下防止と折畳み機能を有した、農業園芸用トンネル支柱を提供する。【解決手段】桁部２に左柱枢着軸受、右に右柱枢着軸受を有し、垂下止棒孔９を設ける、前記桁部２の左柱枢着軸受に左柱枢着軸を正面側より挿入、ワッシャーを嵌合しＲ割ピンで留めて左柱１０を摺動保持できるように枢着する、また右柱枢着軸受に右柱枢着軸を裏面側より挿入しワッシャーを嵌合、Ｒ割ピンで留めて右柱１１を摺動保持できるように枢着する。左右の柱１０、１１にはトンネル形決め半円球状突起を有し、桁部２の側面左、右柱枢着軸受周囲に設けたトンネル形決め突起受との摺動規制によって各トンネル形決めがおこなえる。桁部２中央部に設けた垂下止棒挿通孔９に垂下止棒を挿通し組立てることで直立維持と被覆材の垂下防止並びに折畳み可能とする特徴を有したトンネル支柱本体１。【選択図】図１
2016096816.tif 000002
【特許請求の範囲】
【請求項１】
桁部２の左側端に左柱枢着軸受７、右側端に右柱枢着軸受８を有し、中央部に垂下止棒挿通孔９を設ける、前記桁部２の左柱枢着軸受７に左柱枢着軸１２を正面側より挿入し、ワッシャー１６を嵌合して、Ｒ割ビン１７で留めて左柱１０を摺動保持できるように枢着する、また右柱枢着軸受８に右柱枢着軸１３を裏面側より挿入して、ワッシャー１６を嵌合し、Ｒ割ピン１７で留めて右柱１１を摺動保持できるように枢着して成る、被覆材の垂下を止め、並びにトンネル支柱本体１の直立維持、及び折畳み機能を有したことを特徴とした農業、園芸用トンネル支柱。
【発明の詳細な説明】
【技術分野】
【０００１】  本発明は、折畳み機能を有した農業用園芸用トンネル支柱に関するものである。
【背景技術】
【０００２】  従来の、逆Ｕ字形、半円形状のトンネル支柱は、被覆材料が垂下して、横風受けたとき剥ぎ飛ばされる欠点と、収納保管に広い場所を必要とする欠点があった。
従来の逆Ｕ字形、半円形状のトンネル支柱はプランターで作物育成のとき、植土が比較的浅いため直立保持ができずに転倒し易く、また開口部が底部よりも広いプランターの形状には簡単に合致させることが困難であった。
【発明の概要】
【発明が解決しようとする課題】
【０００３】  従来、逆Ｕ字形支柱、半円形支柱などを所定の間隔を保ち直立設置して被覆材料で覆うのであるが、支柱と支柱との間において被覆材料が垂下を来たし、風にあおられて左右に揺れ動かされるために、支柱の転倒、被覆材料の剥ぎとられ易い欠点かあつた。【０００４】  プランター等で作物育成する場合には、プランターの形状に簡単に合致させることができるとともに、トンネル支柱の転倒防止をおこない直立維持できる機能を備え、左右に設けた軸によって折り畳むことのできる、持ち運びが便利であり、店内陳列、収納保管に広範囲の場所を不要とした、トンネル支柱を提供する。
【課題を解決するための手段】
【０００５】  本発明のトンネル支柱本体１は、桁部２と、左柱１０、右柱１１、によって構成し、左側端に左柱枢着軸受７、右側端に右柱枢着軸受８を具備し中央部に垂下止棒挿通孔９を設け、桁部２の左柱枢着軸受７に左柱枢着軸１２、を正面側から挿入、ワッシャー１６を嵌合しＲ割ピン１７で留めて左柱１０を摺動保持できるように枢着する、また右柱枢着軸受８に右柱枢着軸１３を裏面側から挿入しワッシャー１６を嵌合し、Ｒ割りピン１７で留めて、右柱１１を摺動保持できるように枢着する。
左右の柱１０、１１にはトンネルの形決半円球状突起１４を有し、桁部２の側面左右の柱枢着軸受７、８周囲に設けたトンネル形決め突起受３、４、５、６との摺動制限で各トンネル形決めがおこなえる、また、左右の柱枢着軸１２、１３によって折畳むことができる。
桁部２の中央部に設けた垂下止棒挿通孔９に垂下止棒１５を挿通し組立てることで直立維持と被覆材の垂下防止することができる。
【発明の効果】
【０００６】  本発明のトンネル支柱本体は垂下止棒によって、被覆材の垂下防止と、直立維持を容易になり、また、折畳み可能になったのでプランターの形状に合せ易く、作物育成終了後の収納保管時には狭い保管場所で済み、更に本発明のトンネル支柱本体を販売店で店内陳列、収納保管時に狭い場所で済む効果がある。
【図面の簡単な説明】
【０００７】
【図１】  本発明トンネル支柱本体の斜視図
【図２】  トンネル支柱本体の折畳んだ状態を示す斜視図
【図３】  トンネル支柱本体の一部切欠拡大による平面図
【図４】  トンネル支柱本体の一部切欠拡大による正面図
【図５】  桁部の一部切欠拡大による正面図
【図６】  桁部の一部切欠拡大による平面図
【図７】  左柱の一部切欠拡大による正面図
【図８】  左柱の一部切欠拡大による側面図
【図９】  プランターへ垂下止棒を用いて台形状トンネルの実施形態を示す斜視図
【図１０】  プランターへ垂下止棒を用いて四角状トンネルの実施形態を示す斜視図
【図１１】  プランターへ垂下止棒を用いて逆台形状トンネルの実施形態を示す斜視図
【図１２】  農地へ長列状に垂下止棒を用いて台形状トンネルの実施形態を示す斜視図
【発明を実施するための形態】
【０００８】  本発明のトンネル支柱本体１は、桁部２と、左柱１０、右柱１１によって構成し、桁部２の中央部に垂下止棒挿通孔９を設ける、また、正面の左柱枢着軸受７を中心とした、円周囲の側面直下には四角状形決め突起受４、同じく円周囲左側に、台形状形決め突起受３、同じく前記４の円周囲、右側に逆台形状形決め突起受５、更に、左柱装着軸受７の中心点と同じ円周囲右の水平位置へ、折畳み固定突起受６を設ける、また、桁部２右側については、裏面から見て右柱枢着軸受８を中心にした円周囲の側面直下に四角状形決め突起受４、同じく円周囲左側に台形状形決め突起受３、同じく前記４の円周囲、右側に逆台形状形決め突起受５、更に、右柱枢着軸受８の中心点と同じ円周囲右の水平位置へ、折畳み固定突起受６、を設けて成形する。
【０００９】  本発明のトンネル支柱本体１には左右二本の支持柱を具備する、左柱１０は上端部側面に左柱枢着軸１２と、前記軸直下に形決め半円球状突起１４を設けて成形する、なお、右柱１１は前述の左柱１０と同様の形状とする。
【００１０】  本発明は、桁部２の左側に有した左柱枢着軸受７へ左柱枢着軸１２を正面より挿入し、ワッシャー１６嵌合しＲ割りピン１７で留めて左柱１０の摺動保持できるように枢着する、同じく桁部２の右側に有する右柱枢着軸受８へ、右柱枢着軸１３を裏面より挿入しワッシャー１６を嵌合しＲ割りピン１７で留めて右柱１１の摺動保持できるように枢着することで折畳みを可能とした、また、形決め半円球状突起１４、により桁部２に設けた突起受３、４、５、６、において摺動規制されるため各種形状のトンネル作設を可能にし、折畳み機能を備えたトンネル支柱本体１が完成される。
【００１１】  なお、桁部２の中央部に設けた垂下止棒挿通孔９に適当長さの垂下止棒１５を挿通組み立てることでトンネル支柱本体１の直立維持と被覆材料の垂下防止をすることができる。
【符号の説明】
【００１２】  １  トンネル支柱本体
２  桁部
３  台形状形決め突起受
４  四角状形決め突起受
５  逆台形状形決め突起受
６  折畳み固定突起受
７  左柱枢着軸受
８  右柱枢着軸受
９  垂下止棒挿通孔
１０  左柱
１１  右柱
１２  左柱枢着軸
１３  右柱枢着軸
１４  形決め半円球状突起
１５  垂下止棒
１６  ワッシャー
１７  Ｒ割りピン
Ａ  プランター          Ｂ  被覆材
【図１】
2016096816.tif 000003
【図２】
2016096816.tif 000004
【図３】
2016096816.tif 000005
【図４】
2016096816.tif 000006
【図５】
2016096816.tif 000007
【図６】
2016096816.tif 000008
【図７】
2016096816.tif 000009
【図８】
2016096816.tif 000010
【図９】
2016096816.tif 000011
【図１０】
2016096816.tif 000012
【図１１】
2016096816.tif 000013
【図１２】
2016096816.tif 000014